(57)【要約】【課題】電子錠連動テレビドアホンにおいて、誰が暗証番号不一致にしたか録画することを可能とする。【解決手段】訪問者が暗証番号の入力を開始した時に録画を開始することによって、暗証番号の一致不一致にかかわらずに訪問者を録画する。また、暗証番号が一致であった場合の訪問者の録画を消去することによって、録画ユニットの容量を増加させる必要のない電気錠連動テレビドアホンを提供することができる。【選択図】図１
2007335918.tif 000002
【特許請求の範囲】
【請求項１】
カメラユニットを備えたテレビドアホン子機と；
暗証解錠手段と、暗証解錠手段からの暗証番号の一致不一致の信号を検知する制御部と、暗証番号の一致を検知したときに解錠する電気錠とを備えた電子錠解錠装置と；
暗証解錠手段が操作されることによってテレビドアホンのカメラユニットで暗証解錠手段の操作者の撮影を開始し撮影した映像を録画する録画ユニットと；
テレビドアホン子機と応答可能なテレビドアホン親機と；
を備えたことを特徴とする電気錠連動テレビドアホン。
【請求項２】
暗証番号が一致したことを検知した後には、録画した映像を消去することを特徴とする請求項１記載の電気錠連動テレビドアホン。
【発明の詳細な説明】
【技術分野】
【０００１】
本発明は暗証番号の一致によって開錠される電気錠と連動したテレビドアホンに関する。
【背景技術】
【０００２】
従来から、暗証解錠ボタンからの暗証番号の一致不一致の信号を制御部で検知し、暗証番号が不一致の場合はその検知した信号によって制御部がブザー制御回路を制御しブザーを駆動し警報音を鳴動し、また制御部がＬＥＤ制御回路を制御しＬＥＤを点滅、点灯させる電気錠連動テレビドアホンがあった。この種の電気錠連動テレビドアホンは、図２に示すように、暗証解錠ボタン２、電気錠３、テレビドアホン親機１４が接続され、テレビドアホン親機１４にはテレビドアホン子機１と録画ユニット１５が接続される。暗証解錠ボタン２からデーターが送出されると電気錠解錠装置４の内部にある受信回路６でデーターを受信し制御部８に受信データーを伝える。制御部８はその状態を受けて暗証番号一致であれば電気錠駆動回路７を制御して電気錠３を解錠させる。また制御部８は暗証番号不一致のデーターを受けると送信回路５に暗証番号が不一致であった事を伝えるデーターを送り送信回路５はこのデーターを暗証解錠ボタン２に伝える。また制御部８は暗証番号不一致のデーターを受けるとブザー制御回路１０を制御し、ブザー制御回路１０がブザー１１を鳴動させると共に制御部８はＬＥＤ制御回路１２を制御し、ＬＥＤ制御回路１２はＬＥＤ１３を点滅、点灯をさせる。テレビドアホン親機１４は通常テレビドアホン子機１から呼出されるとテレビドアホン親機１４のモニタが点灯しテレビドアホン親機１４のハンドセットのフックアップにより通話に入る。この通話中にテレビドアホン親機１４から電気錠３の解錠要求があれば電気錠連動テレビドアホン４内部にある電気錠駆動要求受信回路９を介して制御部８に電気錠解錠要求を伝える。制御部８は電気錠解錠要求を受けると電気錠駆動回路７を制御して電気錠３を解錠させる。テレビドアホン親機１４に接続されている録画ユニット１５は録画セットをした時には、テレビドアホン子機１からの呼出に対してテレビドアホン１４のモニタを録画する。  
【０００３】
しかしながら、このような電気錠連動テレビドアホンにおいては、暗証番号不一致の信号を受信した時にブザー１１から警報音鳴動およびＬＥＤ１３の点滅を行うのみであり、誰が暗証番号を間違えたのかわからない。
【０００４】
このため特許文献１では、上記欠点を解消するためになされたもので、暗証番号不一致の信号を受信した時にブザーから警報音鳴動およびＬＥＤの点滅とともに、誰が暗証番号を間違えたのかを録画することのできる電気錠解錠制御装置が開示されている。
【特許文献１】特開２０００−１６０８９２号公報
【発明の開示】
【発明が解決しようとする課題】
【０００５】
しかしながら、特許文献１では暗証番号が不一致であったことを検知した後に録画を開始するので、例えば暗証番号をでたらめに押して直ちに逃げ去るようないたずらには、暗証番号を押し終えた後に録画を開始するので、暗証番号を押した人物の撮影をすることができない虞がある。
【０００６】
このため、本願発明では訪問者が暗証番号の入力を開始した時に録画を開始することによって、暗証番号の一致不一致にかかわらずに訪問者を録画する。そうすることによって上記のようないたずらにも対応することができる。また、暗証番号が一致であった場合の訪問者の録画を消去することによって、録画ユニットの容量を増加させる必要のない電気錠連動テレビドアホンを提供することができる。
【課題を解決するための手段】
【０００７】
請求項1の発明の電気錠連動テレビドアホンは、カメラユニットを備えたテレビドアホン子機と；暗証解錠手段と、暗証解錠手段からの暗証番号の一致不一致の信号を検知する制御部と、暗証番号の一致を検知したときに解錠する電気錠とを備えた電子錠解錠装置と；暗証解錠手段が操作されることによってテレビドアホンのカメラユニットで暗証解錠手段の操作者の撮影を開始し撮影した映像を録画する録画ユニットと；テレビドアホン子機と応答可能なテレビドアホン親機と；を備えたことを特徴とする。
【０００８】
テレビドアホン子機は、カメラユニットの他、呼び出し釦、マイク、スピーカなどを備えて、テレビドアホン親機と通話可能にすることを許容する。また、夜間の撮影の照度確保のため白色ＬＥＤ等の光源を備えることを許容する。
【０００９】
電子錠解除装置は、暗証番号が不一致の場合に報知するＬＥＤ点灯装置および、ブザー報知装置などを備えることを許容する。電子錠解除装置は暗証番号が入力されると録画ユニットにテレビドアホン子機のカメラユニットで撮影している映像を録画するように伝達する。
【００１０】
録画ユニットは、ドアホン子機に備えたカメラユニットで撮影した映像を録画する。録画媒体は、ハードディスクやＶＴＲなど既知の方法を選択することができる。また、この録画ユニットをテレビドアホン親機に内蔵することも許容する。
【００１１】
テレビドアホン親機は、テレビドアホン子機と通話可能なマイク、スピーカを有する事を許容し、さらにドアホン子機のカメラユニットで撮影した映像をモニタするモニタを許容し、このモニタで録画ユニットで録画された映像をモニタすることもできる。
【００１２】
請求項２の発明は、請求項１記載の電気錠連動テレビドアホンであって、録画ユニットは暗証番号が一致したことを検知した後には、録画した映像を消去することを特徴とする。
【００１３】
録画ユニットは、暗証番号が入力されると同時にドアホン子機のカメラユニットの映像の録画を開始し、暗証番号が一致したと検知する録画したこの映像を消去する。消去する磁気は、暗証番号の一致を確認したと同時でもよいが、一日又はあらかじめ設定しておいた所定期間後に消去していくことも許容する。
【発明の効果】
【００１４】
請求項１の発明によれば、暗証解錠手段からの暗証番号一致不一致に係らず、暗証番号の入力の開始とともに録画ユニットで誰が暗証番号を入力したかを録画できるため、例えば不審者が暗証番号不一致とともに立ち去った場合であっても、その不審者の画像の記録を残すことができる電子錠連動テレビドアホンを提供することができる。
【００１５】
請求項２の発明によれば、請求項１の発明の効果を奏するとともに、暗証番号を一致させた訪問者の映像を消去していくので、録画ユニットの特に録画媒体の負担を大きくすることのない電子錠連動テレビドアホンを提供することができる。
【発明を実施するための最良の形態】
【００１６】
本発明の電気錠連動テレビドアホンの実施形態を図１によって説明する。図１は電気錠連動テレビドアホンのシステム図である。本発明の電気錠連動テレビドアホンは、図１に示すように、暗証解錠手段２２、電気錠２３、テレビドアホン親機３６および録画ユニット３７が接続される。またテレビドアホン親機３６にはテレビドアホン子機２１が接続される。電気錠解錠制御装置２４には、暗証解錠手段２２から信号を受信する受信回路２６と、テレビドアホン親機３６から電気錠２３を解錠するよう解錠要求信号を受信する電気錠駆動要求受信回路２９と、受信回路２６と電気錠駆動要求受信回路２９から低電圧レベル信号が入力される制御部２８が設けられる。制御部２８には、制御部２８の制御により暗証解錠手段２２に信号を送信する送信回路２５と、電気錠２３の錠を駆動させる電気錠駆動回路２７と、録画ユニット３７を駆動させる録画ユニット駆動回路３４と、テレビドアホン親機３６のモニタを駆動させるモニタ駆動回路３５と、ブザー３１を駆動させるブザー制御回路３０と、ＬＥＤ３３を駆動させるＬＥＤ制御回路３２が接続される。
【００１７】
このような電気錠連動テレビドアホンの動作について説明する。訪問者が暗証解除ボタン２２を操作すると、暗証解錠手段２２からの暗証番号が入力されるとことを受信回路２６で受信して制御部２８に伝える。制御部は録画ユニット駆動回路３４に伝達して、録画府ニット３７を駆動させてテレビドアホン子機のカメラユニットで撮影した訪問者の映像を録画する。そうして、訪問者が入力した暗証番号が一致した時は、制御部２８は電子錠駆動回路２７を制御して電気錠２３を解錠させる。そうして、録画ユニット３７は録画を停止し、訪問者が暗証番号を入力してからの映像の録画を消去する。
【００１８】
また、訪問者が入力した暗証番号が不一致の場合は、制御部２８はその信号を受けてブザー制御回路３０、ＬＥＤ制御回路３２、モニタ駆動回路３５に信号を送る。ブザー制御回路３０は信号を受けると、ブザー３１を駆動し警報音を鳴動する。ＬＥＤ制御回路３２は制御部２８から信号を受けると、ＬＥＤ３３を駆動しＬＥＤ３３を点滅、点灯させる。モニタ駆動回路３５は制御部２８から信号を受けると、テレビドアホン親機３６のモニタを駆動させ、テレビドアホン子機２１のカメラユニット２０によりテレビドアホン親機３６のモニタに映し出される画像を映し出す。在宅者は、ドアホン親機３６のモニタに映し出された画像を確認し、暗証番号を不一致にさせた訪問者を確認して録画ユニット３７の駆動を停止させたり、ＬＥＤ３３の点滅やブザー３１の鳴動を停止させることができる。また、在宅者が留守のような場合は、あらかじめ決めていた所定時間のみ録画ユニットを駆動させて停止させることもできる。
【図面の簡単な説明】
【００１９】
【図１】本発明の電気錠連動テレビドアホンの一実施例を示すブロック図。
【図２】従来の電気錠連動テレビドアホンを示すブロック図。
【符号の説明】
【００２０】
２１…テレビドアホン子機  ２０…カメラユニット  ２２…暗証解錠手段  ２３…電気錠  ２７…電気錠駆動回路  ２８…制御部  ３０…ブザー制御回路  ３４…録画ユニット駆動回路  ３５…モニタ駆動回路  ３６…テレビドアホン親機  ３７…録画ユニット
【図１】
2007335918.tif 000003
【図２】
2007335918.tif 000004